【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
（Ａ）第１の概念を符号化している第１の特徴を有する第１の符号を含む文書を特定するステップであって、前記第１の符号は第１のコード及び第１のデータに関連付けられていることを特徴とするステップと、
（Ｂ）前記第１のコードを描出することなく前記第１の特徴に基づいた視覚的特徴をもたせるように前記第１のデータを描出するステップと、
（Ｃ）前記描出が正確なものであるか否かの第１の指標をユーザから受領するステップと、
（Ｄ）前記ユーザから受領した前記第１の指標に基づき、前記第１のデータが前記第１の概念を表すものであるか否かを示す前記第１の符号の検証ステータスを特定するステップであって、
（D）（１）前記描出の前記第１の指標が正確であることを示すならば、前記第１の符号が正確であることを示す該第１の符合の検証ステータスを特定するステップと、
（D）（２）さもなければ、前記第１の符号は不正確であることを示す該第１の符合の検証ステータスを特定するステップと、を含むステップと、
（Ｅ）前記第１の符号の前記検証ステータスが該第１の符号が不正確であることを示すなら、該第１の符号の前記第１の特徴を修正するステップと、
を含んでいることを特徴とするコンピュータ利用方法。
【請求項２】
第１の特徴は、第１の符号と第２の符号との間に特定の関係を含み、ステップ（Ｅ）は該第１の符号と該第２の符号との間の該特定の関係を修正することを含んでいることを特徴とする請求項１記載の方法。
【請求項３】
第２の符号は第１の符号を含み、第１の特徴は該第２の符号内に該第１の符号を含み、ステップ（Ｅ）は、該第２の符号から該第１の符号を除去することを特徴とする請求項２記載の方法。
【請求項４】
第１の符号と第２の符号はばらばらであり、第１の特徴は文書内の第１の特徴識別子によって表されていることを特徴とする請求項２記載の方法。
【請求項５】
ステップ（Ｅ）は特定の関係の切断を含んでいることを特徴とする請求項２記載の方法。
【請求項６】
第２の符号は第２のコードおよび第２のデータに関連付けられ、ステップ（Ｂ）は、前記第２のデータに基づいて前記第１のデータが視覚的特徴を有するように描出することを含んでいることを特徴とする請求項２記載の方法。
【請求項７】
ステップ（Ｂ）は第２のコードの描出を含まないことを特徴とする請求項６記載の方法。
【請求項８】
（Ｆ）ユーザから受領した第１の指標に基づいて、第２の符号の検証ステータスを特定するステップをさらに含んでいることを特徴とする請求項１記載の方法。
【請求項９】
（Ｇ）第２の符号の検証ステータスは第１の符号の検証ステータスに基づいて特定されたことを示す記録を文書内に保存するステップをさらに含んでいることを特徴とする請求項８記載の方法。
【請求項１０】
ステップ（Ｃ）は描出が正確であるか否かを示す第１の入力をユーザから受領することを含んでいることを特徴とする請求項１記載の方法。
【請求項１１】
ステップ（Ｃ）は第１のデータの描出に応答したユーザによる入力が存在しないことを特定することを含んでいることを特徴とする請求項１記載の方法。
【請求項１２】
第２の符号は第１の符号と第３の符号とを含んでおり、該第３の符号は第３のコードおよび第３のデータと関連しており、ステップ（Ｂ）は該第３のコードも該第３のデータも含んでいないことを特徴とする請求項１記載の方法。
【請求項１３】
第１のデータは第１のテキストを含み、ステップ（Ｄ）は第１の符号の検証ステータスの特定を含んでおり、該第１の符号の該検証ステータスは前記第１のテキストが第１の概念を記述するか否かを示すことを特徴とする請求項１記載の方法。
【請求項１４】
ステップ（Ｃ）は第１のデータの検証ステータスを示すユーザによる第２の指標の受領をさらに含んでいることを特徴とする請求項１記載の方法。
【請求項１５】
（Ｆ）第１の符号の検証ステータスの記録を文書内に保存するステップをさらに含んでいることを特徴とする請求項１記載の方法。
【請求項１６】
ステップ（Ｄ）は第１のデータが第１の特徴を有した概念を表すか否かを確認するステップを含んでいることを特徴とする請求項１記載の方法。
【請求項１７】
コンピュータ読取媒体に利用可能な形態で記録されているコンピュータ実行可能インストラクションを含んだコンピュータプログラム製品であって、該インストラクションは、
第１の概念をコード化する第１の特徴を有し、第１のコードおよび第１のデータと関連する第１の符号を含む文書を特定させ、
前記第１のコードを描出させずに、前記第１の特徴に基づいた視覚的特徴を第１のデータに持たせ、
前記描出が正確であるか否かの第１の指標をユーザから受領させ、
該ユーザから受領した前記第１の指標に基づいて、前記第１のデータが前記第１の概念を表しているか否かを示す前記第１の符号の検証ステータスを特定させるインストラクションを含んでおり、
該特定させるインストラクションは、
前記第１の指標が前記描出が正確であることを示すならば、前記第１の符号が正確であることを示す該第１の符号の検証ステータスを特定させ、
さもなければ前記第１の符号が不正確であることを示す該第１の符号の検証ステータスを特定させ、
前記第１の符号の前記検証ステータスが該第１の符号が不正確であることを示すならば、該第１の符号の前記第１の特徴を修正させるインストラクションを含んでいることを特徴とするコンピュータプログラム製品。
【請求項１８】
第１の特徴は、第１の符号と第２の符号との間に特定の関係を含んでおり、修正するインストラクションは該第１の符号と該第２の符号との間の該関係を修正するインストラクションを含んでいることを特徴とする請求項１７記載の製品。
【請求項１９】
コンピュータ実行可能インストラクションは、ユーザから受領した第１の指標に基づいて第２の符号の検証ステータスを特定させるインストラクションをさらに含んでいることを特徴とする請求項１７記載の製品。
【請求項２０】
コンピュータ実行可能インストラクションは、第１の符号の検証ステータスの記録を文書に保存させるインストラクションをさらに含んでいることを特徴とする請求項１７記載の製品。
【請求項２１】
視覚的特徴はテキストフォーマット化の特徴を含んでいることを特徴とする請求項１記載の方法。
【請求項２２】
視覚的特徴はボールド体を含んでいることを特徴とする請求項２１記載の方法。
【請求項２３】
第１のデータは第１のテキストを含んでいることを特徴とする請求項１記載の方法。
【請求項２４】
（Ｆ）ステップ（Ａ）に先立って、音声を表すオーディオストリームを認識し、第１のテキストを生成するために自動音声認識装置を利用するステップをさらに含んでいることを特徴とする請求項２３記載の方法。
【請求項２５】
文書は第１の符号内に含まれていない第２のテキストをさらに含んでいることを特徴とする請求項２３記載の方法。
【請求項２６】
第１の指標は第１のテキストに対する修正を特定する入力を含んでいることを特徴とする請求項２３記載の方法。
【請求項２７】
第１の指標は第１のテキストのテキストフォーマット化特徴に対する修正を特定する入力を含んでいることを特徴とする請求項２６記載の方法。
【請求項２８】
ステップ（Ｆ）は第１の符号への記録の保存を含んでいることを特徴とする請求項１５記載の方法。
【請求項２９】
視覚的特徴はテキストフォーマット化特徴を含んでいることを特徴とする請求項１７記載のコンピュータプログラム製品。
【請求項３０】
ステップ（F）は第1のテキストに基づいた第１の符号の自動的な発生を含んでいることを特徴とする請求項２４記載の方法。
【請求項３１】
第１のデータは第１のテキストを含み、コンピュータ実行可能インストラクションは、音声を表すオーディオストリームを認識して、前記第１のテキストを生成するための自動音声認識装置を使用し、前記第１のテキストに基づいて第１の符号を自動的に発生させるインストラクションをさらに含んでいることを特徴とする請求項１７記載のコンピュータプログラム製品。